(57)【要約】【課題】階段及び踊り場を含む避難通路の非常用照明により適した配光を実現する。【解決手段】本実施形態に係る非常用照明器具Ｘは、ＬＥＤ２００から放射される光の配光（照射範囲）をレンズ２０１で制御するように構成されている。しかも、本実施形態に係る非常用照明器具Ｘにおける非常用光源ユニット２は、直管形の蛍光ランプと比較して、器具本体３に対する取付場所の自由度が高い。ゆえに、本実施形態に係る非常用照明器具Ｘは、レンズ２０１による配光制御に加えて、器具本体３に対する取付場所に応じて容易に照射範囲を変更することができ、その結果、階段及び踊り場を含む避難通路の非常用照明により適した配光を実現することができる。【選択図】        図２
2017050257.tif 000002
【特許請求の範囲】
【請求項１】
踊り場に設置され、階段及び踊り場を含む避難通路の非常用照明を行う非常用照明器具であって、
長尺の第１光源部と、１つ又は複数の第２光源部と、前記第１光源部及び前記第２光源部を支持する器具本体と、常用電源から給電されて前記第１光源部を点灯する第１点灯部と、非常用電源から給電されて前記第２光源部を点灯する第２点灯部とを備え、
前記第２光源部は、固体発光素子と、前記固体発光素子から放射される光の配光を制御する配光制御部材とを有し、
前記配光制御部材は、前記階段及び前記踊り場を含む照射範囲に前記光を配光するように構成されることを特徴とする非常用照明器具。
【請求項２】
前記第２光源部は、前記第１光源部の長手方向における少なくとも一方の端と隣り合うように前記器具本体に支持されることを特徴とする請求項１記載の非常用照明器具。
【請求項３】
前記第２光源部は、前記配光制御部材で制御された前記光を当該器具本体の下方に向けて通過させる光通過部を備えることを特徴とする請求項１又は２記載の非常用照明器具。
【発明の詳細な説明】
【技術分野】
【０００１】
本発明は、非常用照明器具に関し、より詳細には階段の踊り場などに設置されて階段通路誘導灯に兼用されるのに好適な非常用照明器具に関する。
【背景技術】
【０００２】
従来例として、特許文献１に記載されている非常用照明器具（階段通路誘導灯）を例示する。特許文献１記載の非常用照明器具は、常用照明用の光源である直管形のＬＥＤランプと、非常用照明用の光源である直管形の蛍光ランプとを備え、階段の踊り場の壁面に設置される。すなわち、特許文献１記載の非常用照明器具は、常時においてはＬＥＤランプを点灯して階段及び踊り場を照明（常用照明）し、火災等が発生した非常時においては蓄電池を電源として蛍光ランプを点灯することで避難通路の照明を確保している。
【先行技術文献】
【特許文献】
【０００３】
【特許文献１】特開２０１４−９３１２２号公報
【発明の概要】
【発明が解決しようとする課題】
【０００４】
ところで、特許文献１記載の従来例は、ＬＥＤランプと蛍光ランプが壁面に沿って縦に並ぶように配置されており、常用照明と非常用照明でほぼ同じ配光となっていた。そのため、より非常用照明に適した配光を実現し得る非常用照明器具（階段通路誘導灯）が望まれている。
【０００５】
本発明は、上記課題に鑑みてなされており、階段及び踊り場を含む避難通路の非常用照明により適した配光を実現することを目的とする。
【課題を解決するための手段】
【０００６】
本発明の非常用照明器具は、踊り場に設置され、階段及び踊り場を含む避難通路の非常用照明を行う非常用照明器具であって、長尺の第１光源部と、１つ又は複数の第２光源部と、前記第１光源部及び前記第２光源部を支持する器具本体と、常用電源から給電されて前記第１光源部を点灯する第１点灯部と、非常用電源から給電されて前記第２光源部を点灯する第２点灯部とを備え、前記第２光源部は、固体発光素子と、前記固体発光素子から放射される光の配光を制御する配光制御部材とを有し、前記配光制御部材は、前記階段及び前記踊り場を含む照射範囲に前記光を配光するように構成されることを特徴とする。
【発明の効果】
【０００７】
本発明の非常用照明器具は、階段及び踊り場を含む避難通路の非常用照明により適した配光を実現することができるという効果がある。
【図面の簡単な説明】
【０００８】
【図１】実施形態１に係る非常用照明器具の斜視図である。
【図２】実施形態１に係る非常用照明器具の分解斜視図である。
【図３】図３Ａは実施形態１に係る非常用照明器具の正面図、図３Ｂは実施形態１に係る非常用照明器具の下面図である。
【図４】図３ＡのＭ−Ｍ線断面矢視図である。
【図５】図３ＡのＮ−Ｎ線断面矢視図である。
【図６】実施形態１に係る非常用照明器具が設置された階段及び踊り場を示し、図６Ａは水平方向から見た概略図、図６Ｂは上方から見た概略図である。
【図７】実施形態２に係る非常用照明器具の斜視図である。
【図８】実施形態２に係る非常用照明器具の分解斜視図である。
【図９】図９Ａは実施形態２に係る非常用照明器具の正面図、図９Ｂは実施形態２に係る非常用照明器具の下面図である。
【図１０】図９ＡのＭ−Ｍ線断面矢視図である。
【図１１】図９ＡのＮ−Ｎ線断面矢視図である。
【発明を実施するための形態】
【０００９】
（実施形態１）
以下、本実施形態に係る非常用照明器具Ｘについて、図面を参照して詳細に説明する。本実施形態に係る非常用照明器具Ｘは、例えば、建物の避難経路となる階段の踊り場の壁面に設置される、いわゆる階段通路誘導灯である。ただし、以下の説明では、特に断りのない限り、図１に示す向きにおいて上下左右の方向を規定する。すなわち、非常用照明器具Ｘが踊り場の壁面に設置された状態において、鉛直方向を上下方向とし、壁面の法線方向を前後方向とし、正面から見て左右方向を左右方向とする。なお、以下の実施形態で説明する構成は本発明の一例にすぎない。本発明は、以下の実施形態に限定されず、本発明に係る技術的思想を逸脱しない範囲であれば、設計等に応じて種々の変更が可能である。
【００１０】
本実施形態に係る非常用照明器具Ｘは、図１〜図３に示すように第１光源部（常用光源ユニット１）と、２つの第２光源部（非常用光源ユニット２）と、器具本体３と、第２点灯部（非常用電源ユニット４）と、非常用電源（電池ユニット６）とを備える。非常用照明器具Ｘは、さらに、制御ユニット５と、人検知ユニット７とを備えることが好ましい。
【００１１】
器具本体３は、長尺の矩形平板状に形成される背板３０と、長尺の矩形平板状であり、かつ、背板３０よりも短い上板３１及び下板３２とを有する（図２参照）。上板３１は、背板３０の上端における長手方向の両端部を除く部分から背板３０の法線方向に沿って前方へ突出するように形成されている。同じく、下板３２は、背板３０の下端における長手方向の両端部を除く部分から背板３０の法線方向に沿って前方へ突出するように形成されている。ただし、背板３０と上板３１及び下板３２とは、金属板が曲げ加工されることで一体に形成されることが好ましい（図２参照）。
【００１２】
背板３０には、踊り場の壁（コンクリート壁）に埋設されているアンカーボルトが挿通される複数（図示例では４つ）の長孔３００が長手方向に沿って、間隔を空けて設けられている（図２参照）。また、背板３０の長手方向のほぼ中央には、常用電源（商用電源）からの給電用の給電線が挿通される、複数（図示例では２つ）の丸孔３０１が長手方向に並ぶように設けられている。さらに、背板３０の前面における丸孔３０１の近傍には、複数（図示例では３つ）の端子台３３が取り付けられている（図２参照）。これらの端子台３３には、丸孔３０１から引き込まれる給電線や、建物に設置されている自動火災報知設備から火災信号を受信するための信号線などが電気的に接続される。
【００１３】
電池ユニット６は、ニッケル水素電池などの２次電池を複数有し、これら複数の２次電池が合成樹脂成形体のケースに収容されて構成される。なお、電池ユニット６は、背板３０の前面における左端の部位に取り付けられることが好ましい（図２参照）。
【００１４】
非常用電源ユニット４は、常用電源から給電される交流電力を直流電力に変換して電池ユニット６を充電する充電回路と、常用電源が停電したときに電池ユニット６から非常用光源ユニット２に供給される直流電流を調整する点灯回路とを有する。さらに、非常用電源ユニット４は、後述する点検スイッチが押操作されたとき、充電回路を強制的に停止し、かつ、電池ユニット６から給電される直流電力で点灯回路に非常用光源ユニット２を点灯させるように構成される。なお、非常用電源ユニット４は、図２に示すように、背板３０の前面における右端の部位に取り付けられることが好ましい。
【００１５】
点検スイッチは、図２及び図３Ｂに示すように、合成樹脂製の箱体４０に収容され、下板３２の右端近傍に取り付けられることが好ましい。なお、箱体４０内には、押釦スイッチからなる点検スイッチの他に、赤外線を媒体とするワイヤレス信号を受信する受光素子などが収容されている。そして、箱体４０の下面には、複数の孔４００が設けられ、これらの孔４００を通して点検スイッチの押釦の押操作や、受光素子によるワイヤレス信号の受信が可能となっている。なお、非常用電源ユニット４は、受光素子でワイヤレス信号を受信した場合も、点検スイッチが押操作されたときと同じく、充電回路を強制的に停止し、かつ、電池ユニット６から給電される直流電力で点灯回路に非常用光源ユニット２を点灯させる。
【００１６】
人検知ユニット７は、電波センサ７０と、センサ取付台７１とを有する。電波センサ７０は、ミリ波帯の電波を媒体として人（移動体）を検知し、人を検知したときに人検知信号を制御ユニット５に出力するように構成される。センサ取付台７１は、電波センサ７０を保持し、器具本体３の下板３２における長手方向の中央に取り付けられる（図３Ａ及び図３Ｂ参照）。ただし、センサ取付台７１は、電波センサ７０の前面の法線方向αを、器具本体３の背板３０の法線方向βに対して、所定の角度φだけ下向きに傾けるように構成されることが好ましい（図４参照）。なお、この角度φは、２０°程度が好ましい。
【００１７】
制御ユニット５は、常用電源から給電されて動作し、人検知ユニット７（の電波センサ７０）から出力される人検知信号に応じて、常用光源ユニット１を制御するように構成される。制御ユニット５は、人検知ユニット７から人検知信号が出力されているとき、常用光源ユニット１に定格点灯するように指示するための制御信号を出力する。また、制御ユニット５は、人検知信号が出力されなくなってから所定の待機時間（例えば、数十秒から数分）が経過したとき、常用光源ユニット１に消灯又は定格点灯時よりも少ない光量で点灯するように指示するための制御信号を出力する。ただし、制御ユニット５は、常用電源が停電したときは全ての動作を停止する。
【００１８】
常用光源ユニット１は、図４に示すように、ＬＥＤモジュール１０と、ＬＥＤモジュール１０が取り付けられる取付部材１１とを備える。また、常用光源ユニット１は、ＬＥＤモジュール１０を覆うようにして取付部材１１に取り付けられるカバー１２と、第１点灯部（電源ユニット１３）とを備える。
【００１９】
ＬＥＤモジュール１０は、長尺の矩形板状に形成された実装基板１００を有する。実装基板１００は、その前面に複数のＬＥＤ（発光ダイオード）１０１が左右方向（長手方向）に沿って１列に並ぶように実装されている。なお、実装基板１００は、例えば、左側の端部にコネクタが実装されている。このコネクタは、実装基板１００に形成されている導体と、電源ユニット１３の出力線とを電気的に接続するように構成される。
【００２０】
取付部材１１は、板金に曲げ加工を施すことでＵ字状に形成される。取付部材１１は、長尺かつ矩形板状に形成された底板１１０と、底板１１０の上端及び下端からそれぞれ後方に突出する一対の側板１１１とを有する。これら一対の側板１１１の後端には、図４に示すように、互いに離れる向き（外向き）に湾曲する引掛部１１２がそれぞれ全長に亘って設けられる。なお、上述したＬＥＤモジュール１０は、例えば、取付部材１１の底板１１０の一部を切り起こすことで形成された爪により、取付部材１１に固定される。
【００２１】
また、取付部材１１は、長手方向における両端寄りの位置において、鉤形の先端を上側の引掛部１１２よりも上方に突出させた一対の引掛金具１１３と、下側の側板１１１の上に配置される一対の引掛ばね１１４とを有している（図４参照）。なお、一対の引掛ばね１１４は、ねじりコイルばねで構成され、両端を後方に向けるように下側の側板１１１に取り付けられる（図４参照）。
【００２２】
電源ユニット１３は、常用電源から供給される交流電力を直流電力に変換し、当該直流電力をＬＥＤモジュール１０に供給して点灯するように構成される。また、電源ユニット１３は、制御ユニット５から出力される制御信号に応じて、ＬＥＤモジュール１０に供給する直流電力を増減するように構成される。つまり、電源ユニット１３は、制御ユニット５から定格点灯するように指示するための制御信号を受け取った場合、ＬＥＤモジュール１０に定格の直流電力（直流電流）を供給する。また、電源ユニット１３は、制御ユニット５から消灯又は定格点灯時よりも少ない光量で点灯するように指示するための制御信号を受け取った場合、ＬＥＤモジュール１０への直流電力の供給を停止する、あるいは、定格よりも少ない直流電力を供給する。なお、電源ユニット１３は、取付部材１１の後面側において、例えば、ねじなどを用いて側板１１１に取り付けられる（図４参照）。
【００２３】
カバー１２は、光拡散性を有する材料（例えば乳白色のアクリル樹脂）により後面（取付部材１１側の面）が開口する長尺の矩形の箱状に形成されている（図４参照）。カバー１２の後面における上下両側の端部には、図４に示すように、後方へ突出する突壁部１２０が長手方向の全長に渡ってそれぞれ設けられている。これら一対の突壁部１２０の後端には、内向き（上側の突壁部１２０では下向き、下側の突壁部１２０では上向き）に突出する突起部１２１がそれぞれ設けられている。カバー１２は、一対の突壁部１２０の突起部１２１が、取付部材１１の一対の側板１１１の引掛部１１２にそれぞれ引っ掛かることにより、取付部材１１の前面を被うように取付部材１１に取り付けられる。
【００２４】
上述のように構成される常用光源ユニット１は、一対の引掛ばね１１４の両端が、器具本体３の下板３２に設けられている引掛板３２０の溝の縁に引っ掛けられることで器具本体３に仮保持される。そして、常用光源ユニット２は、一対の引掛金具１１３の鉤形の先端が器具本体３の上板３１に設けられる受け金具３１０に引っ掛けられることで器具本体３に取り付けられる（図４参照）。
【００２５】
非常用光源ユニット２は、非常用ＬＥＤモジュール２０と、取付台２１と、ユニットカバー２２とを備える（図２参照）。非常用ＬＥＤモジュール２０は、図５に示すように、固体発光素子であるＬＥＤ２００と、配光制御部材であるレンズ２０１と、ホルダ２０２とを有する。ＬＥＤ２００は、例えば、ＣＯＢ（チップ・オン・ボード）型の白色発光ダイオードである。ホルダ２０２は、平板状のベース２０２０と、ベース２０２０の周縁から前方に立ち上がる周壁２０２１と、ベース２０２０の上端から後方に突出する突起２０２２と、ベース２０２０の左右両端から後方に突出する一対の引掛突起２０２３とを有する。なお、ホルダ２０２は、合成樹脂成形体で構成されることが好ましい。
【００２６】
ＬＥＤ２００は、ベース２０２０に設けられる嵌め込み孔に嵌め込まれて支持される（図５参照）。レンズ２０１は、例えば、ガラス製であって、円錐台形状の主レンズ２０１０と、おおよそ三角錐台形状の副レンズ２０１１とを結合して構成されることが好ましい（図３Ａ参照）。レンズ２０１は、ＬＥＤ２００の前方を被うようにベース２０２０の前面に装着される（図５参照）。
【００２７】
取付台２１は、一対の側壁２１０と、一対の連結片２１１と、支持片２１２と、一対の固定片２１３と、一対の差込片２１４とを有する。取付台２１は、アルミダイカストによって一体に形成されることが好ましい。一方の側壁２１０（以下、第１側壁２１０Ａともいう）は、おおよそ正方形状の平板状に形成される。他方の側壁２１０（以下、第２側壁２１０Ｂともいう）は、第１側壁２１０Ａよりも前後方向の幅が狭い長方形状の平板状に形成される。一対の連結片２１１は、第１側壁２１０Ａと第２側壁２１０Ｂとを互いに平行させて連結するように構成される。なお、一対の連結片２１１の前後方向の幅寸法は、第１側壁２１０Ａの前後方向の幅寸法よりも短い。支持片２１２は、く字形に形成され、上端が上側の連結片２１１と繋がり、下端が下側の連結片２１１と繋がることにより、前方に向かって凸となる向きに設けられる。また、支持片２１２は、左右両端の近傍に、幅細の縦溝２１２０が上下方向に沿って、それぞれ形成されている。さらに、支持片２１２は、左右方向の中央において、２つの角孔２１２１が屈曲部位を挟んで隣り合うように設けられている。一対の固定片２１３は、長方形状の平板状に形成され、一対の連結片２１１の後端同士を繋ぐように、左端及び右端にそれぞれ設けられる。一対の差込片２１４は、矩形の板状に形成され、第２側壁２１０Ｂの上端と下端からそれぞれ左右方向に突出するように設けられる。なお、取付台２１は、一対の連結片２１１と平行であり、かつ、一対の連結片２１１と等距離にある平面（支持片２１２の屈曲部位に重なる平面）を対称面として面対称に形成されている。つまり、２つの取付台２１は同一形状及び同一寸法に形成されており、上下に反転されることで器具本体３の左側及び右側のいずれにも取り付けることができる。
【００２８】
ユニットカバー２２は、板金製であって、天板２２０、底板２２１、上前板２２２、下前板２２３などを有する（図２参照）。天板２２０は、矩形平板状に形成され、後端から下向きに固定片２２００が突出している。この固定片２２００は、左右両端にねじ挿通孔２２０１が設けられている。底板２２１は、前後方向の幅寸法が天板２２０よりも短い矩形平板状に形成され、後端から上向きに固定片２２１０が突出している。この固定片２２１０は、左右両端にねじ挿通孔２２１１が設けられている。上前板２２２は、矩形平板状に形成され、天板２２０の前端から下向きに突出している。一方、下前板２２３は、矩形平板状に形成され、底板２２１の前端から斜め上向きに突出している。ただし、上前板２２２の下端と下前板２２３の上端とは繋がっている。ここで、底板２２１の前後方向の幅寸法が天板２２０の前後方向の幅寸法よりも短いため、下前板２２３は、上前板２２２に対して下向きに傾くように形成されている。また、下前板２２３の中央には、円形の窓孔２２３０が設けられている。この窓孔２２３０は、非常用光源ユニット２のレンズ２０１が挿通可能な大きさ（直径）に形成されることが好ましい。
【００２９】
ユニットカバー２２は、天板２２０及び底板２２１が取付台２１の一対の連結片２１１にそれぞれ被せられ、下前板２２３の窓孔２２３０にレンズ２０１が挿通されて取付台２１に装着される。ただし、ユニットカバー２２は、下前板２２３が底板２２１の前端から斜め上向きに突出しているため、取付台２１の一対の連結片２１１の間におけるＬＥＤモジュール２０の下側に、光を通過させる光通過部２１５が形成されている（図１参照）。つまり、ＬＥＤモジュール２０の光のうちで下方に放射される光は、光通過部２１５を通して器具本体３の下方に照射される。その結果、本実施形態に係る非常用照明器具Ｘは、踊り場の床面にも十分な光を照射することができる。
【００３０】
次に、上述のように構成される非常用光源ユニット２が器具本体３に取り付けられる手順を説明する。取付作業を行う作業者は、ホルダ２０２の突起２０２２を取付台２１の支持片２１２の一方の角孔２１２１に挿入し、ホルダ２０２の一対の引掛突起２０２３を角孔２１２１に隣接する一対の縦溝２１２０に挿入して支持片２１２の後面に引っ掛ける。このようにして、ＬＥＤモジュール２０が取付台２１の支持片２１２に支持される。
【００３１】
続いて、作業者は、器具本体３の背板３０の端部（左端部又は右端部）の前面に、取付台２１の一対の固定片２１３を当てるとともに、取付台２１の一対の差込片２１４を器具本体３の上板３１と下板３２の間の空間に差し込む。それから、作業者は、天板２２０及び底板２２１を取付台２１の一対の連結片２１１にそれぞれ被せ、下前板２２３の窓孔２２３０にレンズ２０１を挿通するようにして取付台２１にユニットカバー２２を装着する。さらに、作業者は、天板２２０の固定片２２００及び底板２２１の固定片２２１０を後方から背板３０の端部の後面に当てる。そして、作業者は、固定片２２００のねじ挿通孔２２０１に挿通したねじを背板３０に設けられたねじ挿通孔３０２に挿通した後、取付台２１の固定片２１３の上下両端に設けられているねじ孔２１３０にねじ込む。つまり、取付台２１とユニットカバー２２が一緒に背板３０にねじ止めされる。このようにして、非常用光源ユニット２が器具本体３に取り付けられる。
【００３２】
非常用照明器具Ｘは、例えば、図６Ａ及び図６Ｂに示すように、踊り場Ｆ３の壁Ｗにおける水平方向のほぼ中央に設置される。つまり、器具本体３の右側に配置されている非常用光源ユニット２が右側の階段Ｓ２と対向し、器具本体３の左側に配置されている非常用光源ユニット２が左側の階段Ｓ３と対向する。ここで、常用光源ユニット１の照射範囲は、おおよそ、図６Ａ及び図６Ｂに示した破線Ｌ１で囲まれた範囲となる。一方、非常用光源ユニット２の照射範囲は、おおよそ、図６Ａ及び図６Ｂに示した一点破線Ｌ２で囲まれた範囲となる。
【００３３】
ここで、特許文献１記載の従来例は、常用照明用のＬＥＤランプと、非常用照明用の蛍光ランプとが壁面に沿って縦に並ぶように配置されており、常用照明と非常用照明でほぼ同じ配光となっていた。
【００３４】
これに対して、本実施形態に係る非常用照明器具Ｘにおいて、長尺の常用光源ユニット１の照射範囲は、従来例のＬＥＤランプに近い照射範囲となるが、非常用光源ユニット２の照射範囲は、従来例の蛍光ランプと異なる照射範囲となる。つまり、特許文献１記載の従来例では、器具本体の形状や寸法を考慮すれば、常用照明用のＬＥＤランプと非常用照明用の蛍光ランプを縦方向に平行に並べざるを得ない。一方、本実施形態に係る非常用照明器具Ｘは、ＬＥＤ２００から放射される光の配光（照射範囲）をレンズ２０１で制御するように構成されている。しかも、本実施形態に係る非常用照明器具Ｘにおける非常用光源ユニット２は、直管形の蛍光ランプと比較して、器具本体３に対する取付場所の自由度が高い。そのため、本実施形態に係る非常用照明器具Ｘは、レンズ２０１による配光制御に加えて、器具本体３に対する取付場所に応じて容易に照射範囲を変更することができる。例えば、１つの非常用光源ユニット２が器具本体３の長手方向の中央付近に取り付けられてもよい。
【００３５】
ところで、建物には、図６Ｂに示すように、上りの階段Ｓ２と下りの階段Ｓ３との間に、いわゆる手すり壁などの壁Ｚが設けられている場合がある。この場合、器具本体３の左右両端のいずれか一方のみ、あるいは左右方向の中央のみに非常用光源ユニット２が取り付けられていると、非常用光源ユニット２の光（非常用照明光）が壁Ｚに遮られてしまう可能性が高い。
【００３６】
しかしながら、本実施形態に係る非常用照明器具Ｘは、長尺の器具本体３における長手方向の両端にそれぞれ非常用光源ユニット２が取り付けられている。そのため、器具本体３の右端に取り付けられている非常用光源ユニット２で上りの階段Ｓ２に光を照射し、器具本体３の左端に取り付けられている非常用光源ユニット２で下りの階段Ｓ３に光を照射することができる。その結果、本実施形態に係る非常用照明器具Ｘは、上りの階段Ｓ２と下りの階段Ｓ３との間の壁Ｚに遮られる光の量を減らして、それぞれの階段Ｓ２、Ｓ３を十分な光量で照明することができる。しかも、本実施形態に係る非常用照明器具Ｘの非常用光源ユニット２は、ＬＥＤ２００の光の配光をレンズ２０１で制御することにより、踊り場Ｆ３も十分な光量で照明することができる。ただし、非常用照明における「十分な光量」とは、消防法等の法令で定められている照度以上の照度を確保することができる光量であればよい。
【００３７】
上述のように本実施形態に係る非常用照明器具Ｘは、踊り場に設置され、階段及び踊り場を含む避難通路の非常用照明を行う非常用照明器具である。本実施形態に係る非常用照明器具Ｘは、長尺の第１光源部（常用光源ユニット１）と、１つ又は複数の第２光源部（非常用光源ユニット２）と、常用光源ユニット１及び非常用光源ユニット２を支持する器具本体３とを備える。さらに、本実施形態に係る非常用照明器具Ｘは、第１点灯部（電源ユニット１３）と第２点灯部（非常用電源ユニット４）とを備える。電源ユニット１３は、常用電源から給電されて常用光源ユニット１を点灯する。非常用電源ユニット４は、非常用電源（電池ユニット６）から給電されて非常用光源ユニット２を点灯する。非常用光源ユニット２は、固体発光素子（ＬＥＤ２００）と、ＬＥＤ２００から放射される光の配光を制御する配光制御部材（レンズ２０１）とを有する。レンズ２０１は、階段及び踊り場を含む照射範囲に（ＬＥＤ２００の）光を配光するように構成される。
【００３８】
本実施形態に係る非常用照明器具Ｘが上述のように構成されれば、直管形の蛍光ランプと比較して、非常用光源ユニット２の器具本体３に対する取付場所の自由度が高くなる。そのため、本実施形態に係る非常用照明器具Ｘは、レンズ２０１による配光制御に加えて、器具本体３に対する取付場所に応じて容易に非常用光源ユニット２の照射範囲を変更することができる。その結果、本実施形態に係る非常用照明器具Ｘは、階段及び踊り場を含む避難通路の非常用照明により適した配光を実現することができる。
【００３９】
また、本実施形態に係る非常用照明器具Ｘにおいて、非常用光源ユニット２は、常用光源ユニット１の長手方向における少なくとも一方の端と隣り合うように器具本体３に支持されることが好ましい。
【００４０】
本実施形態に係る非常用照明器具Ｘが上述のように構成されれば、上りの階段と下りの階段の間に手すり壁などの遮蔽物が存在する場合に、非常用光源ユニット２の光が遮蔽物に遮られ難くなる。
【００４１】
さらに、本実施形態に係る非常用照明器具Ｘにおいて、非常用光源ユニット２は、レンズ２０１で配光制御された光を器具本体３の下方に向けて通過させる光通過部２１５を備えることが好ましい。
【００４２】
本実施形態に係る非常用照明器具Ｘが上述のように構成されれば、踊り場の床面にも十分な光を照射することができる。
【００４３】
（実施形態２）
本実施形態に係る非常用照明器具ＸＸは、実施形態１に係る非常用照明器具Ｘに対して、壁面からの突出量を減少させるように構成されている点に特徴がある。ただし、本実施形態に係る非常用照明器具ＸＸの説明において、形状等が多少異なっていても、実施形態１に係る非常用照明器具Ｘと機能的に共通の構成要素には同一の符号を付して適宜説明を省略する。また、以下の説明では、特に断りのない限り、図７に示す向きにおいて上下左右の方向を規定する。すなわち、非常用照明器具ＸＸが踊り場の壁面に設置された状態において、鉛直方向を上下方向とし、壁面の法線方向を前後方向とし、正面から見て左右方向を左右方向とする。
【００４４】
本実施形態に係る非常用照明器具ＸＸは、図７〜図１１に示すように第１光源部（常用光源ユニット１）と、２つの第２光源部（非常用光源ユニット２）と、器具本体３と、第２点灯部（非常用電源ユニット）と、非常用電源（電池ユニット６）とを備える。非常用照明器具ＸＸは、さらに、制御ユニット５と、人検知ユニット７とを備えることが好ましい。
【００４５】
器具本体３の背板３０は、常用光源ユニット２の縦寸法（上下方向の幅寸法）よりも縦寸法が大きく形成されている（図８参照）。また、上板３１の前端から矩形平板状の第１前板３４が下向きに突出し、下板３２の前端から矩形平板状の第２前板３５が上向きに突出している。そして、非常用電源ユニットと電池ユニット６は第１前板３４に隠れるようにして背板３０の前面に取り付けられている（図１０参照）。また、人検知ユニット７は、背板３０の長手方向における中央下部の前面に取り付けられている。ただし、電波センサ７０は、第２前板３５の長手方向における中央に設けられた孔に挿通されて、第２前板３５よりも前へ突出している。そして、常用光源ユニット１は、第１前板３４と第２前板３５との間に収まるように、器具本体３に取り付けられる（図７参照）。
【００４６】
非常用光源ユニット２は、背板３０の縦寸法に合わせて、取付台２１の側壁２１０Ａ、２１０Ｂ及び支持片２１２の縦寸法、並びにユニットカバー２２の上前板２２２の縦寸法が大きくされている。そして、２つの非常用光源ユニット２は、器具本体３の左右両端にそれぞれ取り付けられる。
【００４７】
本実施形態に係る非常用照明器具ＸＸは、実施形態１に係る非常用照明器具Ｘと同様に、階段及び踊り場を含む避難通路の非常用照明により適した配光を実現することができる。
【符号の説明】
【００４８】
Ｘ、ＸＸ  照明器具
１  常用光源ユニット（第１光源部）
２  非常用光源ユニット（第２光源部）
３  器具本体
４  非常用電源ユニット（第２点灯部）
６  電池ユニット（非常用電源）
１３  電源ユニット（第１点灯部）
２００  ＬＥＤ（固体発光素子）
２０１  レンズ（配光制御部材）
２１５  光通過部
【図１】
2017050257.tif 000003
【図２】
2017050257.tif 000004
【図３】
2017050257.tif 000005
【図４】
2017050257.tif 000006
【図５】
2017050257.tif 000007
【図６】
2017050257.tif 000008
【図７】
2017050257.tif 000009
【図８】
2017050257.tif 000010
【図９】
2017050257.tif 000011
【図１０】
2017050257.tif 000012
【図１１】
2017050257.tif 000013